(57)【要約】【課題】煙感知室を小型にした場合でも、迷光が発生しにくく、適切に煙検知能力を発揮できる煙感知器を提供する。【解決手段】複数のラビリンス壁３０は、投光部１０からの直接光を受ける複数の投光側ラビリンス壁３１と、煙感知室外から受光部への外光の直接照射を遮断する複数の受光側ラビリンス壁３２とを少なくとも有し、投光側ラビリンス壁３１と受光側ラビリンス壁３２とは、略平板状に形成され、それらの内側端３０ａは、一方が右回り方向、他方が左回り方向を向いている。【選択図】図１
2010040008.tif 000002
【特許請求の範囲】
【請求項１】
複数のラビリンス壁を周設した煙感知室内に、投光部を設けるとともに、該投光部から発せられた光を直接受光しない位置に受光部を設けて、該投光部の投光範囲と該受光部の受光範囲とより感煙領域を形成し、上記ラビリンス壁の間隙によって形成された煙流入路から該感煙領域に流入してきた煙による散乱光を該受光部で受光させて、火災を検知するようにした煙感知器において、
上記複数のラビリンス壁は、上記投光部からの直接光を受ける複数の投光側ラビリンス壁と、上記煙感知室外から上記受光部への外光の直接照射を遮断する複数の受光側ラビリンス壁とを少なくとも有し、該投光側ラビリンス壁と該受光側ラビリンス壁とは、略平板状に形成され、それらの内側端は、一方が右回り方向、他方が左回り方向を向いていることを特徴とする煙感知器。
【請求項２】
請求項１において、
上記投光側ラビリンス壁の内側端と、上記受光側ラビリンス壁の内側端とは向かい合っている煙感知器。
【請求項３】
請求項１または２において、
上記投光側ラビリンス壁は、その内側端が上記受光範囲内に入らないように配設されている煙感知器。
【請求項４】
請求項１〜３のいずれか１項において、
上記ラビリンス壁の内側端には、上記受光部を向いていないカット平面が形成されている煙感知器。
【請求項５】
請求項１〜４のいずれか１項において、
隣接する受光側ラビリンス壁間に形成される間隙を通過する仮想直線の延長線が、上記受光部の外側を通過するようになっている煙感知器。
【請求項６】
請求項１〜５のいずれか１項において、
上記投光側ラビリンス壁の外側端には、ラビリンス壁の内向壁面が折曲されるように漏光防止壁が形成されている煙感知器。
【請求項７】
請求項１〜６のいずれか１項において、
上記投光部と受光部のそれぞれは、投光素子と受光素子のそれぞれを両側よりカバーで覆った構造とされ、該カバーの両側壁のそれぞれに隣接する隣接ラビリンス壁は、それぞれの両側壁に略平行に配置されている煙感知器。
【請求項８】
請求項７において、
上記受光部に隣接するラビリンス壁は、内側端を上記受光部に向けて折曲させた形状とされる煙感知器。
【発明の詳細な説明】
【技術分野】
【０００１】
本発明は、煙感知室内のラビリンス壁間の間隙によって形成された煙流入路を通って感煙領域に入り込んできた煙を光学検知する煙感知器に関する。
【背景技術】
【０００２】
従来の上記のような煙感知器としては、複数のラビリンス壁を周設した煙感知室内に投光部を設けるとともに、この投光部から発せられた光を直接受光しない位置に受光部を設けて、それらの投光範囲と受光範囲とより感煙領域を形成したものがある。このものでは、ラビリンス壁間の間隙によって形成された煙流入路を通って感煙領域に流入してきた煙による散乱光を受光部で受光させ、これを受光信号として閾値を超えたときに火災発報信号を出力して火災警報を行う構成となっている（特許文献１を参照）。
【０００３】
この種の煙感知器に設けられたラビリンス壁は、壁間で煙流入路を形成することで外部からの煙を室内の中央部に誘導する機能を有するとともに、外部からの光が受光部へ直接入光すること防ぐ外光遮断機能、投光部からの光がラビリンス壁などに反射して形成される、煙検知には不要な光を室内で反射させながら光強度を減衰させる機能なども備えている。
【０００４】
ようするに、ラビリンス壁は、煙の流入を許容するとともに不要な光（迷光）を受光部で受光させないために周設されており、そのような機能を適切に発揮させるために、従来では形状を「く」の字形としていることが通例である。また、ラビリンス壁は、投光部からの光を直接受けるもの、受光部の対向位置にあるものなど配置位置にかかわらず、ほとんどのラビリンス壁は、その内側端が同一方向（右回りか左回り）を向くよう整列されている。
【特許文献１】特開２００２−３５２３４６号公報
【発明の開示】
【発明が解決しようとする課題】
【０００５】
ところが、煙感知室を小型化した場合、ラビリンス壁を上記のような形状、配置にしても迷光が十分に除去されないなどの種々の問題が発生することが、本出願人の試験によって明らかになっている。
【０００６】
すなわち、煙感知室を小型化すれば、室内の種々の部位間の距離寸法が短くなるため、煙検知に不要な光が室内の種々の部位で反射しても光強度が十分に減衰されず、その反射光が迷光となって、受光部が正常な煙の散乱光の検知をできなくなるおそれがある。また、小型であるゆえ、「く」の字形などの複雑なラビリンス壁を形成できないという問題もある。
【０００７】
本発明は、このような問題を考慮して提案されたもので、その目的は、煙感知室を小型にした場合でも、迷光が発生しにくく、適切に煙検知能力を発揮できる煙感知器を提供することにある。
【課題を解決するための手段】
【０００８】
上記目的を達成するために、請求項１に記載の煙感知器は、複数のラビリンス壁を周設した煙感知室内に、投光部を設けるとともに、該投光部から発せられた光を直接受光しない位置に受光部を設けて、該投光部の投光範囲と該受光部の受光範囲とより感煙領域を形成し、上記ラビリンス壁の間隙によって形成された煙流入路から該感煙領域に流入してきた煙による散乱光を該受光部で受光させて、火災を検知するようにした煙感知器において、次のような構造的特徴を有している。
【０００９】
すなわち、複数のラビリンス壁は、投光部からの直接光を受ける複数の投光側ラビリンス壁と、煙感知室外から受光部への外光の直接照射を遮断する複数の受光側ラビリンス壁とを少なくとも有し、該投光側ラビリンス壁と該受光側ラビリンス壁とは、略平板状に形成され、それらの内側端は、一方が右回り方向、他方が左回り方向を向いている。
【００１０】
請求項２に記載の煙感知器では、投光側ラビリンス壁の内側端と、受光側ラビリンス壁の内側端とは向かい合っている。
【００１１】
請求項３に記載の煙感知器では、投光側ラビリンス壁は、その内側端が受光範囲内に入らないように配設されている。
【００１２】
請求項４に記載の煙感知器では、ラビリンス壁の内側端に、受光部を向いていないカット平面が形成されている。
【００１３】
請求項５に記載の煙感知器では、隣接する受光側ラビリンス壁間に形成される間隙を通過する仮想直線の延長線が、受光部の外側を通過するようになっている。
【００１４】
請求項６に記載の煙感知器では、投光側ラビリンス壁の外側端に、ラビリンス壁の内向壁面が折曲されるように漏光防止壁が形成されている。
【００１５】
請求項７に記載の煙感知器では、投光部と受光部のそれぞれは、投光素子と受光素子のそれぞれを両側よりカバーで覆った構造とされ、該カバーの両側壁のそれぞれに隣接する隣接ラビリンス壁は、それぞれの両側壁に略平行に配置されている。
【００１６】
請求項８に記載の煙感知器では、受光部に隣接するラビリンス壁は、内側端を受光部に向けて折曲させた形状とされる。
【発明の効果】
【００１７】
請求項１に記載の煙感知器では、略平板状に形成されたラビリンス壁のうち、投光側ラビリンス壁と受光側ラビリンス壁の内側端は、一方が右回り方向、他方が左回り方向を向いている。そのため、投光部からの直接光を投光側ラビリンス壁の内向壁面で受けても、その反射光は隣接するラビリンス壁の外向壁面に照射され、それによって、光は室内の受光範囲に向かうことなく外部へと放出され、迷光の発生を防止できる。
【００１８】
また、受光側ラビリンス壁の内側端は投光側ラビリンス壁の内側端とは反対回りの方向を向いるため、投光側ラビリンス壁の内側端などで反射された光は、隣接するラビリンス壁の外向壁面に照射され、それによって、光は室内の受光範囲に向かうことなく外部へと放出され、迷光の発生を防止できる。さらに、受光側ラビリンス壁をこのように配設させることで、煙感知室外からの光をラビリンス壁の外向壁面で遮断することができ、外光を直接受光部で受光することを回避できる。
【００１９】
このようにラビリンス壁を簡易な平板形状としても、ラビリンス壁に煙流入の作用、外光の遮断作用および不要光の室外流出作用を持たせることができるため、このような煙感知室の構造は、例えば「く」の字形などの複雑な形状のラビリンス壁を形成できない小型の煙感知室を有した煙感知器に特に効果的に使用できる。
【００２０】
なお、室外に放出される光は、隣接するラビリンス壁間で反射されてから放出されるようになっているため、その光は壁間の反射によって光強度が減衰される。そのため、強い光が外部に出て、外部の構造体などで反射して光が戻ってくることを防止できる。
【００２１】
請求項２に記載の煙感知器によれば、投光側ラビリンス壁の内側端と受光側ラビリンス壁の内側端とが向かい合って、投光側ラビリンス壁の内向壁面を受光部へ向け、受光側ラビリンス壁の内向壁面を投光部へ向けるような構造としているため、それぞれの内向壁面で反射される光を交錯させることを防止でき、さらに迷光の発生を防止できる。
【００２２】
請求項３に記載の煙感知器によれば、投光側ラビリンス壁の内側端が受光範囲に入らない構成であるため、ラビリンス壁の内側端で反射される光を受光部で受光することを回避できる。
【００２３】
請求項４に記載の煙感知器によれば、ラビリンス壁の内側端に、受光部を向かないカット平面が形成されているため、受光範囲や受光部へ向かう反射光の発生を阻止できる。
【００２４】
請求項５に記載の煙感知器によれば、隣接する受光側ラビリンス壁間に形成される間隙を通過する仮想直線の延長線が、受光部の外側を通過するようになっているため、外光が直接受光部へ入光されるおそれはない。
【００２５】
請求項６に記載の煙感知器によれば、投光側ラビリンス壁の外側端に漏光防止壁が形成されているため、投光部からの直接光は漏光防止壁にいったん当たる。そのため、光強度の強い直接光が外部に漏れ出て、外部の構造体などで反射して光が戻ってくることを防止できる。
【００２６】
請求項７に記載の煙感知器によれば、投光部、受光部のカバーの側壁に略平行なラビリンス壁が、投光部、受光部のそれぞれに隣接しているため、側壁と隣接ラビリンス壁によってできる平行路によって煙を適切に流入させることができ、さらに、その平行路に集まる光を側壁、隣接ラビリンス壁間で反射させながら外部へ放出させることができる。
【００２７】
請求項８に記載の煙感知器によれば、受光部に隣接するラビリンス壁の内側端が受光部を向いているため、受光部の近傍に遮光壁を配置した場合でも、その遮光壁からラビリンス壁に鋭角的に向かう光を内方に向かわせることなく、外部へと放出させることができる。
【発明を実施するための最良の形態】
【００２８】
以下に、本発明の実施の形態について、添付図面とともに説明する。
【００２９】
図７は、本実施形態の一例である煙感知器の概略説明図であり、（ａ）は概略平面図、（ｂ）は概略部分縦断面図である。なお図７では、天井面に設置された状態とは天地を逆にして作図している。以下、煙感知器の上下関係については、この基準にもとづいて説明している。
【００３０】
煙感知器１は、天井などに取り付けられるもので、多数の通気孔を備えた防虫網６を煙感知室５に被せてなる煙感知体４と、投光素子１１、受光素子２１、その他電子部品（不図示）を実装した回路基板３と、上記部材や他の部材を収容し、天井面に取り付けられる円盤状のボディ２とよりなる。なお、煙感知室４、防虫網５、投光素子１１、受光素子２１は後述する図１〜６において図示している。
【００３１】
ボディ２は、ベース２ａとカバー２ｂとよりなる。カバー２ｂの外周部には、縦横の桟２ｂａによって多数の開口２ｃが形成されている。ボディ２内には、回路基板３に煙感知体４が組み付けられて収容、固定されている。なお、この実施形態のものは、ボディ２内に煙感知体４の全体を収容させて全体として凹凸の少ないすっきりとした形状をなしており、それに応じて、煙感知体４も小型のものが収容されている。
【００３２】
図１〜６は、同煙感知器１の煙感知室５の内部構造を示す概略平面図であり、これらの図を参照しながら、内部構造とともに、それらの特徴点や作用、効果などを説明する。なお、図１においては防虫網６を破線で簡易的に図示し、回路基板３については図示を省略している。
【００３３】
回路基板３上の投光素子１１、受光素子２１のそれぞれは、回路基板３と煙感知体４とを一体化した状態では、煙感知室５に設けた投光カバー１２、受光カバー２２のそれぞれに収容されている。
【００３４】
煙感知体４は、図１、７に示すように略円形形状であり、煙感知室５に形成された投光カバー１２、受光カバー２２の後部がやや突出している。なお、投光カバー１２、受光カバー２２の後部を突出させているのは、煙感知室５内を広く形成するためである。また煙感知室５の内部は、投光素子１１と受光素子２１とによって適切に煙を光学検知させるための構造となっている。
【００３５】
煙感知室５は、投光部１０、受光部２０、複数のラビリンス壁３０、遮光体４１などを含んで構成されている。投光部１０は外周部に配設され、受光部２０は投光部１０からの光を直接受光しない外周位置に設けられている。なお、煙感知室５は、その外周部に、ラビリンス壁３０や遮光壁４０の下方の一部を隠した周壁を形成させたものであってもよい。
【００３６】
投光部１０は、投光素子１１を投光カバー１２に収容されてなり、受光部２０は、受光素子２１を受光カバー２２に収容されてなる。投光カバー１２、受光カバー２２は、ラビリンス壁３０、遮光壁４０などとともに光学基台７の上に一体的に成形されてなる。また、投光素子１１は発光ダイオードなどよりなり、受光素子２１はフォトダイオードなどよりなる。
【００３７】
投光カバー１２は、煙感知室５の内方に向けて開口された投光窓１２ａを有し、一方、受光カバー２２は、煙感知室５の内方に向けて開口された受光窓２２ａを有している。この投光窓１２ａから出る光の光軸および受光窓２２ａに入る光の光軸は、ともに光学基台７の内底面７ａに対し略平行となっている。
【００３８】
投光部１０は、投光カバー１２に収容された投光素子１１から、投光窓１２ａ、煙感知室の略中央を通って反対側にあるラビリンス壁３１に光が届くように、投光窓１２ａと遮光壁４０とによって定まる投光範囲（実線Ａ、Ａによって囲まれた領域）に光を照射する構成となっている。一方、受光部２０は、受光窓２２ａと遮光壁４０とによって定まる受光範囲（実線Ｂ、Ｂによって囲まれた領域）からの光を受光する構成となっている。
【００３９】
投光範囲と受光範囲とは煙感知室５の略中央で重なり合い、その部分に感煙領域Ｃが形成される。すなわち、この煙感知室５は、この感煙領域Ｃに流入してきた煙に投光部１０から光が照射されると、受光部２０が、光を受けた煙の散乱光を受光し、その受光信号を回路部（不図示）に伝達して火災判別を行う構成となっている。
【００４０】
また、遮光壁４０は、投光部１０と受光部２０とで形成される短弧ＳＳ側の領域の略中央位置に、外周部より内方に突出するように形成されている。この遮光壁４０は、投光部１０の投光範囲および受光部２０の受光範囲を制限するためのもので、特に投光部１０から受光部２０への直接光を遮断するために形成されている。なお遮光壁４０は、本実施形態では、煙を仕切ることができるように、煙感知室５の外周部より内方に延びた仕切り壁４２に遮光体４１が延設されているが、仕切り壁４２に延設されずに、室内に独立して立設されたものであってもよい。
【００４１】
複数のラビリンス壁３０は、略平板状に形成され、光学基台７の内底面７ａより煙感知室５の上端にわたって立設されており、外周側の端部（以下、外側端といい、その反対側端部を内側端という。）では、２つのラビリンス壁３０の間隙によって、煙流入口５ａが形成されるとともに、それよりも内方側では２つのラビリンス壁３０で挟まれた間隙によって煙流入路５ｂが形成されている。そして、複数のラビリンス壁３０によって形成された複数の煙流入路５ｂは、室内の略中央に位置する感煙領域Ｃに煙を誘導する作用を有している。
【００４２】
また、ラビリンス壁３０は、煙誘導作用を有するとともに、外部からの光によって煙感知機能が不安定とならないように、外光が煙流入口５ａ、煙流入路５ｂを通って入光しないような外光遮断作用も有している。特に、投光側、受光側ラビリンス壁３１、３２は、その内側端３１ａ、３２ａが室内中央を向かず、右回りあるいは左回り方向を向かせることで、煙を流入させるとともに、煙流入口５ａから入り込んだ光をラビリンス壁３１、３２の外向壁面３１ｄ、３２ｄで遮ることのできるように配設されている。
【００４３】
また、本実施形態では、図１に示すように、投光部１０と受光部２０とで形成される短弧ＳＳの中央（遮光壁４０の外側端とほぼ同一位置）と中心とを結ぶ中心線Ｌ１で室内を区切ると、受光部２０が配置される半円領域と、投光部１０が配置される半円領域とが形成される。受光部２０が配置される半円領域には、投光部１０からの直接光を受ける投光側ラビリンス壁３１が配設されており、一方、投光部１０が配置される半円領域には受光部２０への直接外光の入射を遮断する受光側ラビリンス壁３２が配設されている。なお、符号ＳＬは投光部１０と受光部２０とで形成される長弧を示している。
【００４４】
これらの投光側ラビリンス壁３１と受光側ラビリンス壁３２とは、それぞれの内側端３１ａ、３２ａが向かい合っており、つまり投光側ラビリンス壁３１の内側端３１ａは反時計回り（左回り）方向を向き、受光側ラビリンス壁３２の内側端３２ａは時計回り（右回り）方向を向いている。すなわち、図例では３つの投光側ラビリンス壁３１の内向壁面３１ｃはすべて受光部２０の方向を向き、受光側ラビリンス壁３２の内向壁面３２ｃはすべて投光部１０の方向を向いている。
【００４５】
このような構造によれば、投光側ラビリンス壁３１では、その内向壁面３１ｃが投光部１０から感煙領域Ｃを超えて到達する直接光を受けるが、その光は受光部２０よりも外側方向に反射され、隣接するラビリンス壁３１の外向壁面３１ｄに当たって、煙流入路５ｂを煙とは逆行するように外部へ出てゆこうとする。したがって、投光部１０からの直接光は、感煙領域Ｃを通過すると投光側ラビリンス壁３１での反射によっても受光範囲に向かって反射することなく、かつ光強度が減衰されて外部へ放出される。図１においては、投光側ラビリンス壁３１に当たって外部へ出る光の軌跡を実線Ｒ１で示している。
【００４６】
また、受光側ラビリンス壁３２は内向壁面３２ｃが投光部１０を向いているため、かりに光が受光部１０から受光側ラビリンス壁３２に向けて照射されたとしたら、投光側ラビリンス壁１０と同様に、隣接するラビリンス壁３２に反射しながら、その光は外に出てゆこうとする。つまり、受光側ラビリンス壁３２をこのように配設することで、外部からの光を直接受光部２０で受光することを回避している。図１においては、受光側ラビリンス壁３２に当たる仮想光の軌跡を実線Ｒ２で示している。
【００４７】
また、投光側ラビリンス壁３１の内側端３１ａなどで散乱した光が受光側ラビリンス壁３２に照射された場合でも、受光側ラビリンス壁３２の内向壁面３２ｃが投光部１０を向いているため、その反射光は室外に出る。図１においては、投光側ラビリンス壁３１に当たって散乱する光の軌跡を実線Ｒ３で示している。
【００４８】
このように、投光側、受光側ラビリンス壁３１、３２を上記のように配設することで、投光部１０から投光されて不要となった光や外部からの光が、室内の受光部２０や受光範囲に向かう迷光となることを防止できる。また、このような構成により適切な煙流入ができ、かつ適切な光遮断が行え、それによって迷光の少ない煙感知室５を構成できる。
【００４９】
特に本実施形態のように、煙感知室５が小型のものでは、「く」の字形などの複雑な形状のラビリンス壁を形成しづらく、かつ室内寸法が小さいため光の反射により不要光の光強度を減衰させにくく、そのため平板状のラビリンス壁を整列させて配設させると迷光が発生しやすくなるが、上記のように内側端を反対に向けて、上記のように受光部１０側の半円領域と、投光部２０側の半円領域とが略対称的となるようにラビリンス壁３０を配設することで、迷光の発生を低減できるとともに、従来どおりの煙流入機能、外光遮断機能を持たせることができる。
【００５０】
なお、本実施形態のように、投光側ラビリンス壁３１の内向壁面３１ｃを受光部２０へ向け、受光側ラビリンス壁３２の内向壁面３２ｃを投光部１０へ向けるようにすることで、それぞれの内向壁面３１ｃ、３２ｃで反射される光が交錯することを防止できるため、投光側、受光側ラビリンス壁３１、３２は上記のような方向に配設することが望ましいが、これとは逆に、投光側ラビリンス壁３１は内向壁面３１ｃを投光部１０へ向けるように、受光側ラビリンス壁３２は内向壁面３２ｃを受光部２０へ向けるように配設させてもよい。
【００５１】
また、上述したように、投光側ラビリンス壁３１の内側端３１ａでは投光部１０からの光強度の強い直接光を受けて光が散乱するが、その反射光が受光部２０で受光されないように、投光側ラビリンス壁３１は、その内側端３１ａが受光範囲Ｂに入らないような寸法に形成されている。
【００５２】
また、ラビリンス壁３０は、煙感知室５内で迷光が発生しないように、さらに他の種々の形状的特徴を有している。これらについては、図１にもその形状を示しているが、図２〜６には、同様の構造を図示し、それらの特徴的形状による作用、効果を説明するための矢印線等を付加している。これらの各図を参照しながら、それぞれの形状および作用、効果について説明する。
【００５３】
まず、ラビリンス壁３０の内側端３０ａに着目すると、図２、３に示すように、それらの内側端３０ａは尖形の先端部３０ａａが形成されるように、カット平面３０ａｂが形成されている。このカット平面３０ａｂは、内装されたほとんどのラビリンス壁３０について、このカット面３０ａｂに反射した光が受光部２０に向かわないように受光部２０とは異なる方向を向いている。
【００５４】
例えば、図２に示すように、投光側ラビリンス壁３１の内側端（尖端３１ａａ）から受光側ラビリンス壁３２に反射してきた光は、そのカット面３２ａｂに反射されるが、それらの反射光は、反射されながら外部へと出てゆくか、あるいは反射した光が出てゆかなかったとしても、その光は反射によって減衰するため、受光部２０の受光をじゃまする迷光とはなり得ない。図２においては、投光側ラビリンス壁３１の尖端３１ａａに当たって反射する光の軌跡を実線Ｒ４で示している。
【００５５】
また、図３に示すように、受光側ラビリンス壁３２の内側端（尖端３２ａａ）から投光側ラビリンス壁３１に反射してきた光についても、そのカット面３１ａｂに反射されるが、それらの反射光は、図中の矢印方向へと向かい、室外方向へと出てゆくか、あるいはさらに反射されたとしても、その光は減衰するため、受光範囲Ｂへ向かう迷光とはなり得ない。図３においては、受光側ラビリンス壁３２の尖端３２ａａに当たって反射する光の軌跡を実線Ｒ５で示している。
【００５６】
ついで、受光側ラビリンス壁３２に着目すると、隣接する受光側ラビリンス壁３２間に形成される煙流入路５ｂをラビリンス壁３２に沿って通過する仮想直線の延長線が、受光部の外側を通過するようになっている。つまり、このような仮想直線は種々想定できるが、図４に示すように、そのような仮想直線のうち、もっとも内側を通る、受光側ラビリンス壁３２の内側端３２ａと、その内側端３２ａに近接したラビリンス壁３２の外側端３２ｂとを結ぶような仮想直線Ｌ２の延長線が受光部２０の外側を通過している。そのため、受光側ラビリンス壁３２間を通る外光は、どのような方向のものでも直接受光部２０へ入光されることはない。
【００５７】
なお本実施形態では、図４に示すように、これらの外光は受光カバー２２の長弧ＳＬ側の側壁２２ｂと、それに隣接するラビリンス壁３４との間を通過する構成となっており、外光が抜け出る経路が受光部２０の近接部に固定化されている。このように、受光側ラビリンス壁３２が整列されているため、煙流入路５ｂから入ってきた煙を、図中の太線で示したように、室内の略中央にある感煙領域Ｃへと誘導できる。
【００５８】
また、投光側ラビリンス壁３１に着目すると、図５に示すように、投光側ラビリンス壁３１には、その内向壁面３１ｃが折曲するように漏光防止壁３１ｅが形成されている。すなわち、この漏光防止壁３１ｅは外側端３１ｂに形成されるもので、その部分の内向壁面３１ｃは、内側端３１ｃ側の内向壁面３１ａよりも中心方向を向いており、これによって投光部１０からの直接光Ｒ１が外部に漏れることを防止するようにしている。
【００５９】
このように、投光部１０からの直接光Ｒ１が漏れにくい構造であるため、光強度の強い直接光が外部に漏れて、外部の例えばボディ２（図７を参照）などで反射して室内に戻ってきて迷光となることを阻止できる。
【００６０】
なお、漏光防止壁３１ｅをラビリンス壁３１の外側端３１ｂに形成するために、図５の破線で示したように、壁厚の厚い外側基部を設けてもよいが、小型の煙感知室において適切な煙流入口５ａを形成するために、ラビリンス壁３１を均一厚として、外側端３１ｄでは外周に沿うように鋭角的に漏光防止壁３１ｅを形成させることが望ましい。
【００６１】
つぎに、投光部１０、受光部２０のそれぞれの両側にするラビリンス壁３３、３４に着目すると、図６に示すように、それらの隣接ラビリンス壁３３、３４はそれぞれが投光素子１１を覆う投光カバー１２、受光素子２１を覆う受光カバー２２の側壁１２ｂ、２２ｂに略平行となるよう配設されている。
【００６２】
まず、投光部１０側では、投光カバー１２の側壁１２ｂと、隣接ラビリンス壁３３とが略平行となるような構造とすることで、室内で発生した反射光を、その平行路５ｃによって反射光をさらに反射させて弱めたうえで外部に放出させ、それによって迷光の発生を減少させる。特に、ラビリンス壁３０の内側端（尖端３０ａａ）で散乱した光は、投光部１０付近に戻ってくる可能性が高いが、このような平行路５ｃによれば、それらを迷光にすることなく、外部放出することができる。また、平行路５ｃが形成されているため、外部からの煙は、図中の太線で示すように、カバー１２によって遮蔽されることなく、カバー１２の側壁１２ｂに沿って効果的に室内に流入される。
【００６３】
一方、受光部２０側においても、受光カバー２２の側壁２２ｂと、隣接ラビリンス壁３４とが略平行となるような構造とすることで、それによってできた平行路５ｃによって投光部１０側のものと同様の効果が得られる。
【００６４】
また、受光部２０側の隣接ラビリンス壁３４は両方とも、その内側端３４ａが一定の曲率でもって受光部１０方向へ折曲されており、受光部１０の近傍に配置される遮光壁４０などからの、受光カバー２２の受光窓２２ａに略平行な反射光も受け止めて、受光窓２２ａへ反射させることなく外部へと放出することができる。
【００６５】
なお、投光部１０側の隣接ラビリンス壁３３は、煙流入と不要光の流出とのバランスを考慮して、一方のラビリンス壁３３の内側端３３ａが投光部１０方向に折曲され、他方のラビリンス壁３３の内側端３３ａは折曲されずに平板形状となっている。
【００６６】
以上の実施形態では、図７に示したように、煙感知室５をボディ２に内装して、全体として凹凸のすくない煙感知器１を示したが、本発明は、煙感知室５をボディ２の上方（煙感知器を天井に取り付けた場合の下方）に突出するように配置した煙感知器にも適用可能である。
【００６７】
図８は、このようなボディの上方を突出させてその突出部に煙感知室を設けた煙感知器の説明図であり、（ａ）は概略平面図、（ｂ）は概略部分縦断面図である。
【００６８】
この煙感知器１Ａは、円盤状のボディ２の中央に煙感知室５と防虫網６とよりなる煙感知体４が突出され、その煙感知体４はプロテクタ８を被せることで保護されている。このプロテクタ８の外周部には、煙を煙感知室５内へ流入させるために、縦横の桟８ａにより多数の開口８ｂが形成されている。なお図中の３は、投光素子、受光素子（不図示）を設けた回路基板である。
【００６９】
この実施形態における煙感知室内の構造および作用、効果については、図１〜６と同様であるため、その説明を省略する。
【００７０】
また、以上の実施形態には、投光部、受光部および感煙領域を平面的に配置した煙感知器を示したが、本発明は、感煙領域を投光部、受光部よりも上方または下方に配置したもの、つまり投光部、受光部の光軸が上方または下方に傾斜するようにしたものにも適用が可能である。
【図面の簡単な説明】
【００７１】
【図１】本発明の一実施形態である煙感知器に使用される煙感知室の内部構造を示す概略平面図である。
【図２】同煙感知室内に設けたラビリンス壁の構造的特徴および作用、効果を説明するための概略平面図である。
【図３】同ラビリンス壁の他の構造的特徴および作用、効果を説明するための同煙感知室の概略平面図である。
【図４】同ラビリンス壁の他の構造的特徴および作用、効果を説明するための同煙感知室の概略平面図である。
【図５】同ラビリンス壁の他の構造的特徴および作用、効果を説明するための同煙感知室の概略平面図である。
【図６】同ラビリンス壁の他の構造的特徴および作用、効果を説明するための同煙感知室の概略平面図である。
【図７】同煙感知器の概略説明図であり、（ａ）は概略平面図、（ｂ）は概略部分縦断面図である。
【図８】本発明の他の実施形態である煙感知器の説明図であり、（ａ）は概略平面図、（ｂ）は概略部分縦断面図である。
【符号の説明】
【００７２】
１      煙感知器
２      ボディ
３      回路基板
４      煙感知体
５      煙感知室
５ａ      煙流入口
５ｂ      煙流入路
１０      投光部
１１      投光素子
１２      投光カバー
１２ａ      投光窓
１２ｂ      側壁
２０      受光部
２１      受光素子
２２      受光カバー
２２ａ      受光窓
２２ｂ      側壁
３０      ラビリンス壁
３１      投光側ラビリンス壁
３２      受光側ラビリンス壁
３０ａ、３１ａ、３２ａ      内側端
３０ａｂ、３１ａｂ、３２ａｂ      カット平面
３０ｂ、３１ｂ、３２ｂ      外側端
３１ｃ、３２ｃ      内向壁面
３１ｄ、３２ｄ      外向壁面
３１ｅ      漏光防止壁
３３      投光部側の隣接ラビリンス壁
３４      受光部側の隣接ラビリンス壁
４０      遮光壁
４１      遮光体
４２      仕切り壁
Ａ      投光範囲の両側を示す実線
Ｂ      受光範囲の両側を示す実線
Ｃ      感煙領域
【図１】
2010040008.tif 000003
【図２】
2010040008.tif 000004
【図３】
2010040008.tif 000005
【図４】
2010040008.tif 000006
【図５】
2010040008.tif 000007
【図６】
2010040008.tif 000008
【図７】
2010040008.tif 000009
【図８】
2010040008.tif 000010